(57)【要約】  【解決手段】  ＯＬＥＤ表示パネルと、第１バックパネルと、第２バックパネルとを含むＯＬＥＤ表示装置であり、ＯＬＥＤ表示パネルの折り曲げ領域に位置する下表面には少なくとも２本の支持棒が設置されており、支持棒はＯＬＥＤ表示パネルの幅方向に沿って配列されている。  【選択図】      図２
2020536343.tif 000002
【特許請求の範囲】
【請求項１】
折り曲げ領域と、前記折り曲げ領域の両端に位置する非折り曲げ領域とを含むＯＬＥＤ表示パネルと、
いずれも前記非折り曲げ領域内に位置する第１バックパネル及び第２バックパネルと、を含むＯＬＥＤ表示装置であって、
前記ＯＬＥＤ表示パネルの前記折り曲げ領域に位置する下表面には、前記ＯＬＥＤ表示パネルの幅方向に沿って配列された少なくとも２本の支持棒が設置されており、
隣り合う２本の前記支持棒の間に所定の間隔が設けられている、
ＯＬＥＤ表示装置。
【請求項２】
前記支持棒の長さが前記ＯＬＥＤ表示パネルの幅より短い、請求項１に記載のＯＬＥＤ表示装置。
【請求項３】
前記支持棒の材料湾曲強度が前記ＯＬＥＤ表示パネルの材料湾曲強度より大きい、請求項１に記載のＯＬＥＤ表示装置。
【請求項４】
前記支持棒の材料がステンレスである、請求項１に記載のＯＬＥＤ表示装置。
【請求項５】
前記支持棒が、貼付または塗布工程により前記ＯＬＥＤ表示パネルの裏面に固定されている、請求項１に記載のＯＬＥＤ表示装置。
【請求項６】
前記各支持棒の幅の和が、前記ＯＬＥＤ表示パネルの前記折り曲げ領域内に位置する長さに等しい、請求項１に記載のＯＬＥＤ表示装置。
【請求項７】
前記支持棒の断面が円形または楕円形である、請求項１に記載のＯＬＥＤ表示装置。
【請求項８】
前記支持棒の断面が多角形である、請求項１に記載のＯＬＥＤ表示装置。
【請求項９】
前記第１バックパネル及び第２バックパネルの材料湾曲強度が前記ＯＬＥＤ表示パネルの材料湾曲強度より大きい、請求項１に記載のＯＬＥＤ表示装置。
【請求項１０】
折り曲げ領域と、前記折り曲げ領域の両端に位置する非折り曲げ領域とを含むＯＬＥＤ表示パネルと、
いずれも前記非折り曲げ領域内に位置する第１バックパネル及び第２バックパネルと、を含むＯＬＥＤ表示装置であって、
前記ＯＬＥＤ表示パネルの前記折り曲げ領域に位置する下表面に、前記ＯＬＥＤ表示パネルの幅方向に沿って配列された少なくとも２本の支持棒が設置されている、
ＯＬＥＤ表示装置。
【請求項１１】
前記支持棒の長さが前記ＯＬＥＤ表示パネルの幅より短い、請求項１０に記載のＯＬＥＤ表示装置。
【請求項１２】
前記支持棒の材料湾曲強度が前記ＯＬＥＤ表示パネルの材料湾曲強度より大きい、請求項１０に記載のＯＬＥＤ表示装置。
【請求項１３】
前記支持棒の材料がステンレスである、請求項１０に記載のＯＬＥＤ表示装置。
【請求項１４】
前記支持棒が、貼付または塗布工程により前記ＯＬＥＤ表示パネルの裏面に固定されている、請求項１０に記載のＯＬＥＤ表示装置。
【請求項１５】
前記各支持棒の幅の和が、前記ＯＬＥＤ表示パネルの前記折り曲げ領域内に位置する長さに等しい、請求項１０に記載のＯＬＥＤ表示装置。
【請求項１６】
前記支持棒の断面が円形または楕円形である、請求項１０に記載のＯＬＥＤ表示装置。
【請求項１７】
前記支持棒の断面が多角形である、請求項１０に記載のＯＬＥＤ表示装置。
【請求項１８】
前記第１バックパネル及び第２バックパネルの材料湾曲強度が前記ＯＬＥＤ表示パネルの材料湾曲強度より大きい、請求項１０に記載のＯＬＥＤ表示装置。
【発明の詳細な説明】
【技術分野】
【０００１】
本発明は、表示技術分野、特にＯＬＥＤ表示装置に係わる。
【背景技術】
【０００２】
現代の通信業界では、携帯電話、テレビ、タブレット、ノートパソコン、デジタルカメラなどの製品の市場ニーズがますます大きくなっており、各種の表示デバイスも折り曲げ可能な方向に発展しており、フレキシブルフルスクリーン表示モジュールの製造においては、折り曲げ工程の使用が必要となっている。フレキシブルバックパネルを後ろ向きに折り曲げる既存の技術では、表示領域の下方に折り曲げ領域が設置されており、この領域には、折り曲げた後、円弧構造の不安定さや円弧の変形といった現象が存在するので、折り曲げ領域の回路の破断が起こりやすく、製品の信頼性を低下させている。
【０００３】
以上のことから、既存のＯＬＥＤ表示装置は、ＯＬＥＤ表示パネルの折り曲げ領域部分に折り曲げ時の円弧構造の不安定さや円弧の変形現象が存在するので、折り曲げ領域の回路の破断がより起こりやすく、製品の信頼性をさらに低下させている。
【発明の概要】
【発明が解決しようとする課題】
【０００４】
既存のＯＬＥＤ表示装置は、ＯＬＥＤ表示パネルの折り曲げ領域部分に折り曲げ時の円弧構造の不安定さや円弧の変形現象が存在するので、折り曲げ領域の回路の破断がより起こりやすく、製品の信頼性をさらに低下させている。  
【課題を解決するための手段】
【０００５】
本出願は、ＯＬＥＤ表示パネルの折り曲げ領域部分を折り曲げた時の円弧構造を安定させることにより、既存のＯＬＥＤ表示装置において、ＯＬＥＤ表示パネルの折り曲げ領域部分に折り曲げ時の円弧構造の不安定さや円弧の変形現象が存在することにより、折り曲げ領域の回路の破断がより起こりやすく、製品の信頼性をさらに低下させているという技術的問題を解決することができる。
【０００６】
上記の問題を解決するために本出願で提供する技術的解決手段は以下の通りである。
【０００７】
本出願は、ＯＬＥＤ表示パネルと、第１バックパネルと、第２バックパネルとを含むＯＬＥＤ表示装置を提供しており、そのうち、ＯＬＥＤ表示パネルは、折り曲げ領域と、折り曲げ領域の両端に位置する非折り曲げ領域とを含み、第１バックパネル及び第２バックパネルはいずれも非折り曲げ領域内に位置しており、ＯＬＥＤ表示パネルの折り曲げ領域に位置する下表面には少なくとも２本の支持棒が設置されており、支持棒はＯＬＥＤ表示パネルの幅方向に沿って配列されており、隣り合う２本の支持棒の間には所定の間隔が設けられている。
【０００８】
本出願の実施例で提供するＯＬＥＤ表示装置では、支持棒の長さはＯＬＥＤ表示パネルの幅より短い。
【０００９】
本出願の実施例で提供するＯＬＥＤ表示装置では、支持棒の材料湾曲強度はＯＬＥＤ表示パネルの材料湾曲強度より大きい。
【００１０】
本出願の実施例で提供するＯＬＥＤ表示装置では、支持棒の材料はステンレスである。
【００１１】
本出願の実施例で提供するＯＬＥＤ表示装置では、支持棒が、貼付または塗布工程によりＯＬＥＤ表示パネルの裏面に固定されている。
【００１２】
本出願の実施例で提供するＯＬＥＤ表示装置では、各支持棒の幅の和がＯＬＥＤ表示パネルの折り曲げ領域内に位置する長さに等しい。
【００１３】
本出願の実施例で提供するＯＬＥＤ表示装置では、支持棒の断面は円形または楕円形である。
【００１４】
本出願の実施例で提供するＯＬＥＤ表示装置では、支持棒の断面は多角形である。
【００１５】
本出願の実施例で提供するＯＬＥＤ表示装置では、第１バックパネル及び第２バックパネルの材料湾曲強度は、ＯＬＥＤ表示パネルの材料湾曲強度より大きい。
【００１６】
本出願はさらに、ＯＬＥＤ表示パネルと、第１バックパネルと、第２バックパネルとを含むＯＬＥＤ表示装置を提供しており、そのうち、ＯＬＥＤ表示パネルは、折り曲げ領域と、折り曲げ領域の両端に位置する非折り曲げ領域とを含み、第１バックパネル及び第２バックパネルはいずれも非折り曲げ領域内に位置しており、ＯＬＥＤ表示パネルの折り曲げ領域に位置する下表面には少なくとも２本の支持棒が設置されており、支持棒はＯＬＥＤ表示パネルの幅方向に沿って配列されており、隣り合う２本の支持棒の間には所定の間隔が設けられている。
【００１７】
本出願の実施例で提供するＯＬＥＤ表示装置では、支持棒の長さはＯＬＥＤ表示パネルの幅より短い。
【００１８】
本出願の実施例で提供するＯＬＥＤ表示装置では、支持棒の材料湾曲強度はＯＬＥＤ表示パネルの材料湾曲強度より大きい。
【００１９】
本出願の実施例で提供するＯＬＥＤ表示装置では、支持棒の材料はステンレスである。
【００２０】
本出願の実施例で提供するＯＬＥＤ表示装置では、支持棒が、貼付または塗布工程によりＯＬＥＤ表示パネルの裏面に固定されている。
【００２１】
本出願の実施例で提供するＯＬＥＤ表示装置では、各支持棒の幅の和が、ＯＬＥＤ表示パネルの折り曲げ領域内に位置する長さに等しい。
【００２２】
本出願の実施例で提供するＯＬＥＤ表示装置では、支持棒の断面は円形または楕円形である。
【００２３】
本出願の実施例で提供するＯＬＥＤ表示装置では、支持棒の断面は多角形である。
【００２４】
本出願の実施例で提供するＯＬＥＤ表示装置では、第１バックパネル及び第２バックパネルの材料湾曲強度は、ＯＬＥＤ表示パネルの材料湾曲強度より大きい。  
【発明の効果】
【００２５】
本出願の有益な効果：本出願で提供するＯＬＥＤ表示装置は、ＯＬＥＤ表示パネルの折り曲げ領域に位置する下表面に１層の配列式支持棒を設置して、折り曲げ領域のＯＬＥＤ表示パネルに安定した円弧形状を形成させることで、金属線の折り曲げによる破断を防止し、ＯＬＥＤ表示装置の信頼性をさらに高めている。
【図面の簡単な説明】
【００２６】
実施例または既存技術における技術的解決手段をより明確に説明するために、以下では実施例または既存技術の説明において使用しなければならない図面について簡単紹介するが、以下の記述中の図面は出願の実施例の一部にすぎず、当業者にとっては、創造的な労働を行わないという前提において、これらの図面に基づいて他の図面を得ることもできることは自明である。
【図１】図１は、本出願におけるＯＬＥＤ表示装置の折り曲げ前の上面図である。
【図２】図２は、本出願におけるＯＬＥＤ表示装置の折り曲げ前の側面図である。
【図３】図３は、本出願におけるＯＬＥＤ表示装置の折り曲げ後の側面図である。
【発明を実施するための形態】
【００２７】
以下の各実施例の説明は添付された図を参考にしており、本出願の実施可能な特定の実施例を例示するために用いられる。本出願で言及している方向用語、例えば「上」、「下」、「前」、「後」、「左」、「右」、「内」、「外」、「側面」などは、添付図の方向の参考にすぎない。したがって、使用されている方向用語は本出願の説明及び理解に用いられるものであって、本出願を限定するものではない。図中では、構造が類似するユニットは、同じ記号で表示されている。
【００２８】
本出願では、ＯＬＥＤ表示パネルの折り曲げ領域部分に折り曲げ時の円弧構造の不安定さや円弧の変形現象が存在し、折り曲げ領域の回路の破断が生じやすく、製品の信頼性をより低くしているという既存のＯＬＥＤ表示装置の技術的問題について、本実施例によってその欠陥を解決することができる。
【００２９】
本出願は、ＯＬＥＤ表示パネルと、第１バックパネルと、第２バックパネルとを含むＯＬＥＤ表示装置を提供しており、そのうち、ＯＬＥＤ表示パネルは、折り曲げ領域と、折り曲げ領域の両端に位置する非折り曲げ領域とを含み、第１バックパネル及び第２バックパネルはいずれも非折り曲げ領域内に位置しており、ＯＬＥＤ表示パネルの折り曲げ領域に位置する下表面には少なくとも２本の支持棒が設置されており、支持棒はＯＬＥＤ表示パネルの幅方向に沿って配列されている。
【００３０】
図１は、本出願におけるＯＬＥＤ表示装置の折り曲げ前の上面図である。この中で、ＯＬＥＤ表示装置上にはＯＬＥＤ表示パネル１０１が設置されており、ＯＬＥＤ表示パネル１０１の折り曲げ領域に位置する下表面には少なくとも２本の支持棒１０２が設置されており、支持棒１０２はＯＬＥＤ表示パネル１０１の幅方向に沿って配列されている。そのうち、隣り合う２本の支持棒１０２の間には所定の間隔が設けられている。支持棒１０２の長さは、ＯＬＥＤ表示パネル１０１の幅より短い。支持棒１０２の材料はステンレスである。支持棒１０２は、貼付または塗布工程によりＯＬＥＤ表示パネル１０１の裏面に固定されている。支持棒１０２の幅の和は、ＯＬＥＤ表示パネル１０１の折り曲げ領域内に位置する長さに等しい。支持棒１０１は、貼付または塗布工程によりＯＬＥＤ表示パネル１０１の裏面に固定されている。支持棒１０２はその数及び幅を選択することができ、各支持棒１０２の間の間隔は等しい。
【００３１】
図２は、本出願におけるＯＬＥＤ表示装置の折り曲げ前の側面図である。そのうち、ＯＬＥＤ表示装置上にはＯＬＥＤ表示パネル２０１が設置されており、ＯＬＥＤ表示パネル２０１の表面には金属線２０２が設置されている。金属線２０２は、ＯＬＥＤ表示パネル２０１から表示領域に接続されているデータ信号線、アレイ基板行駆動信号線、電源電圧信号線及び回路共通接地端電圧信号線を含み、金属線の材料は、比較的延性のよいＴｉ／Ａｌ／Ｔｉ材料である。各金属線２０２の形状は完全に同じであり、各金属線２０２の太さは完全に同じではなく、比較的太い金属線２０２は電源電圧信号線、回路接地信号線またはアレイ基板行駆動信号線とすることができ、比較的細い金属線３０１は、データ信号線とすることができる。
【００３２】
ＯＬＥＤ表示パネル２０１の裏面には、第１バックパネル２０４及び第２バックパネル２０５がそれぞれ設置されており、第１バックパネル２０４及び第２バックパネル２０５はいずれも非折り曲げ領域内に位置している。第１バックパネル２０４の長さは第２バックパネル２０５より長い。第１バックパネル２０４及び第２バックパネル２０５の材料湾曲強度はＯＬＥＤ表示パネル２０１の材料湾曲強度より大きく、これにより、ＯＬＥＤ表示パネル２０１の折り曲げ領域を折り曲げた際に、第１バックパネル２０４及び第２バックパネル２０５がＯＬＥＤ表示パネル２０１の折り曲げられていない部分に対して支持作用を果たすことを保証することができる。第１バックパネル２０４及び第２バックパネル２０５の本体には、比較的一般的で平らなステンレス板を採用することができるが、もちろん、その他のアルミ板や鉄板などの金属材質に限らず、プラスチック材質であってもよい。
【００３３】
ＯＬＥＤ表示パネル２０１の折り曲げ領域に位置する下表面には少なくとも２本の支持棒２０３が設置されており、支持棒２０３は、ＯＬＥＤ表示パネル２０１の幅方向に沿って配列されており、そのうち、隣り合う２本の支持棒２０３の間には所定の間隔が設けられている。そのうち、支持棒２０３は、貼付または塗布工程によりＯＬＥＤ表示パネル２０３の裏面に固定されている。貼付または塗布工程による固定は簡単かつ有効で、しかも極めて堅固なので、支持棒２０３が湾曲過程でＯＬＥＤ表示パネル２０１から容易に離脱しないことを保証することができる。  支持棒２０３の材料湾曲強度は、ＯＬＥＤ表示パネル２０１の材料湾曲強度より大きい。既存の技術から、材料湾曲強度とは、湾曲負荷作用下で材料が破断する、または所定の撓み度に達した時に耐えることができる最大応力を指すことがわかっており、支持棒２０３の材料湾曲強度がＯＬＥＤ表示パネル２０１の材料湾曲強度より大きいことで、ＯＬＥＤ表示パネル２０１が平面で折り曲げられる過程で支持棒２０３の応力の影響をより多く受け、ＯＬＥＤ表示パネル２０１の折り曲げ領域に位置する部分の不安定さや変形の可能性をさらに減少させることを保証することができる。
【００３４】
好適には、支持棒２０３の断面は、円形または楕円形または多角形である。
【００３５】
図３は、本出願におけるＯＬＥＤ表示装置の折り曲げ後の側面図である。この中で、ＯＬＥＤ表示装置上にはＯＬＥＤ表示パネル３０１が設置されており、ＯＬＥＤ表示パネル３０１の表面には金属線３０２が設置されており、第１バックパネル３０４及び第２バックパネル３０５はいずれも非折り曲げ領域内に位置している。ＯＬＥＤ表示パネル３０１の折り曲げ領域に位置する下表面には少なくとも２本の支持棒３０３が設置されており、支持棒３０３は、ＯＬＥＤ表示パネル３０１の幅方向に沿って配列されており、隣り合う２本の支持棒３０３の間には所定の間隔が設けられている。ＯＬＥＤ表示パネル３０１を折り曲げた時、各支持棒３０３が湾曲応力の作用下で互いに接触し、支持棒３０３とＯＬＥＤ表示パネル３０１が互いに貼合され、ＯＬＥＤ表示パネル３０１上の湾曲部位が支持棒３０３の張力の影響を受けて、支持棒３０３の力をＯＬＥＤ表示パネル３０１上に付勢し、支持棒３０３の力によって、ＯＬＥＤ表示パネル３０１の湾曲部分の形状が安定する。支持棒３０３の材料湾曲強度は、ＯＬＥＤ表示パネル３０１の材料湾曲強度より大きい。そのうち、支持棒２０３の材料湾曲強度がＯＬＥＤ表示パネル２０１の材料湾曲強度より大きいことで、ＯＬＥＤ表示パネル２０１が平面で折り曲げられる過程で支持棒２０３の応力の影響をより多く受け、ＯＬＥＤ表示パネル２０１の折り曲げ領域に位置する部分の不安定さや変形の可能性をさらに減少させることを保証することができる。
【００３６】
本出願の有益な効果：本出願で提供するＯＬＥＤ表示装置は、ＯＬＥＤ表示パネルの折り曲げ領域に位置する下表面に１層の配列式支持棒を設置して、折り曲げ領域のＯＬＥＤ表示パネルに安定した円弧形状を形成させることで、金属線の折り曲げによる破断を防止し、ＯＬＥＤ表示装置の信頼性をさらに高めている。
【００３７】
以上のように、本出願を好適な実施例により上記のように開示しているが、上記の好適な実施例は本出願を限定するためのものではなく、当業者であれば、本出願の主旨及び範囲を逸脱せずに各種の変更や潤色を行うことができるので、本出願の保護範囲は、請求項により画定された範囲が基準となる。
【図１】
2020536343.tif 000003
【図２】
2020536343.tif 000004
【図３】
2020536343.tif 000005
【国際調査報告】
2020536343.tif 000006
2020536343.tif 000007
2020536343.tif 000008
2020536343.tif 000009